(57)【特許請求の範囲】
【請求項１】
光を発する光源と、
前記光源が発する光を受光する第１の受光素子と、
前記光源が発する光を受光する第２の受光素子と、
前記光源が発する光を通過させて前記第１の受光素子が当該光を受光することを可能にする第１のスリットと、前記光源が発する光を通過させて前記第２の受光素子が当該光を受光することを可能にする第２のスリットとを有しており、音響再生部において音を発生させる振動部の動きに応じて移動し、前記第１の受光素子の受光量が増加するときに前記第２の受光素子の受光量が減少し、前記第１の受光素子の受光量が減少するときに前記第２の受光素子の受光量が増加するように、前記第１のスリットと前記第２のスリットとが配置された振動部材と、
前記第１の受光素子と前記第２の受光素子のペアが差動対として動作し、前記第１の受光素子の受光量と前記第２の受光素子の受光量との差分に応じた再生信号を出力する信号検出部と、
を備える振動検出装置。
【請求項２】
前記光源が、第１の発光素子と第２の発光素子から成り、
前記第１の受光素子が、前記第１の発光素子に対向して配置されており、前記第１の発光素子が発する光を受光し、
前記第２の受光素子が、前記第２の発光素子に対向して配置されており、前記第２の発光素子が発する光を受光する、
請求項１に記載の振動検出装置。
【請求項３】
前記振動部材の横断面が、円弧状である請求項２に記載の振動検出装置。
【請求項４】
前記振動部材が、円柱または中空の円筒である請求項２に記載の振動検出装置。
【請求項５】
前記振動部材が、中空の円筒であり、
前記光源が、球状であって、前記振動部材の内部の空洞に配置される、
請求項１に記載の振動検出装置。
【請求項６】
前記第１のスリットと前記第２のスリットの形状が前記振動部材の移動方向に長い長方形であって、当該長方形の幅が長さの１／４以下である請求項１ないし５のいずれか１項に記載の振動検出装置。
【請求項７】
前記光源と前記振動部材との間、または前記振動部材と前記第１の受光素子および前記第２の受光素子との間に配置される遮光部材であって、前記振動部材の第１のスリットと重なる部分において前記光源が発する光を長方形の形状で通過させる第３のスリットと前記振動部材の第２のスリットと重なる部分において前記光源が発する光を長方形の形状で通過させる第４のスリットとを有する当該遮光部材を備える請求項１ないし６のいずれか１項に記載の振動検出装置。
【請求項８】
音響再生部において音を発生させる振動部の動きに応じて移動する第１の発光素子および第２の発光素子と、
前記第１の発光素子に対向して配置されており、前記音響再生部に含まれる振動部の動きに応じて移動し、前記第１の発光素子が発する光を受光する第１の受光素子と、
前記第２の発光素子に対向して配置されており、前記音響再生部に含まれる振動部の動きに応じて移動し、前記第２の発光素子が発する光を受光する第２の受光素子と、
前記第１の発光素子が発する光を通過させて前記第１の受光素子が当該光を受光することを可能にする第１のスリットと、前記第２の発光素子が発する光を通過させて前記第２の受光素子が当該光を受光することを可能にする第２のスリットとを有しており、前記音響再生部に含まれる振動部の動きに応じて、前記第１の受光素子の受光量が増加するときに前記第２の受光素子の受光量が減少し、前記第１の受光素子の受光量が減少するときに前記第２の受光素子の受光量が増加するように、前記第１のスリットと前記第２のスリットとが配置された固定部材と、
前記第１の受光素子と前記第２の受光素子のペアが差動対として動作し、前記第１の受光素子の受光量と前記第２の受光素子の受光量との差分に応じた再生信号を出力する信号検出部と、
を備える振動検出装置。
【請求項９】
光を発する光源と、
前記光源が発する光を受光する第１の受光素子と、
前記光源が発する光を受光する第２の受光素子と、
音響再生部において音を発生させる振動部の動きに応じて、前記第１の受光素子の受光量が増加するときに前記第２の受光素子の受光量を減少させ、前記第１の受光素子の受光量が減少するときに前記第２の受光素子の受光量を増加させる受光量調整手段と、
前記第１の受光素子と前記第２の受光素子のペアが差動対として動作し、前記第１の受光素子の受光量と前記第２の受光素子の受光量との差分に応じた再生信号を出力する信号検出部と、
を備え、
前記受光量調整手段が、
矩形の形状の光を発する前記光源と、
前記音響再生部に含まれる振動部の動きに応じて移動する前記第１の受光素子および前記第２の受光素子と、
で構成される、
振動検出装置。
【請求項１０】
請求項１ないし９のいずれか１項に記載の振動検出装置と、
音源から出力される原音信号と前記振動検出装置から出力される再生信号とに基づいて駆動信号を生成する駆動回路と、
前記駆動信号が供給される前記音響再生部と、
を備えるモーショナルフィードバック音響再生装置。
【請求項１１】
請求項１ないし７のいずれか１項に記載の振動検出装置と、
音源から出力される原音信号と前記振動検出装置から出力される再生信号とに基づいて駆動信号を生成する駆動回路と、
前記駆動信号が供給される前記音響再生部と、
を備え、
前記振動検出装置に含まれる振動部材の長手方向の一端が前記音響再生部の中心軸に沿って前記音響再生部のセンターキャップの表面に固定されており、
前記振動検出装置に含まれる光源と第１の受光素子と第２の受光素子とが前記音響再生部のセンターキャップの表側に配置されている、
モーショナルフィードバック音響再生装置。
【請求項１２】
請求項１ないし７のいずれか１項に記載の振動検出装置と、
音源から出力される原音信号と前記振動検出装置から出力される再生信号とに基づいて駆動信号を生成する駆動回路と、
前記駆動信号が供給される音響再生部と、
を備え、
前記音響再生部に含まれる振動部が、コーン紙を含み、
前記振動検出装置に含まれる振動部材の長手方向の一端が前記音響再生部の中心軸と並行に前記コーン紙に固定されている、
モーショナルフィードバック音響再生装置。
【請求項１３】
請求項１ないし７のいずれか１項に記載の振動検出装置と、
音源から出力される原音信号と前記振動検出装置から出力される再生信号とに基づいて駆動信号を生成する駆動回路と、
前記駆動信号が供給される音響再生部と、
を備え、
前記振動検出装置に含まれる振動部材の長手方向の一端が前記音響再生部の中心軸に沿って前記音響再生部のセンターキャップの裏面に固定されており、
前記振動検出装置に含まれる光源と第１の受光素子と第２の受光素子とが前記音響再生部のセンターキャップの裏側に配置されている、
モーショナルフィードバック音響再生装置。
【請求項１４】
前記振動検出装置の信号検出部が、再生信号を差動信号として出力し、
前記駆動回路が、
前記再生信号がＸＬＲ端子に入力され、前記再生信号を１本の信号に変換し、原音信号と同一のレベルに増幅して出力する第１のオーディオミキサーと、
前記原音信号と前記第１のオーディオミキサーの出力とがＸＬＲ端子に入力され、前記原音信号と前記増幅された再生信号の差分をエラー信号として出力する第２のオーディオミキサーと、
前記原音信号と前記エラー信号がＸＬＲ端子に入力され、前記原音信号から前記エラー信号が除かれた信号成分を出力する第３のオーディオミキサーと、
を有する、
請求項１０ないし１３のいずれか１項に記載のモーショナルフィードバック音響再生装置。
【発明の詳細な説明】
【技術分野】
【０００１】
本発明は、スピーカやヘッドホンのような音響再生装置においてＭＦＢ（Ｍｏｔｉｏｎａｌ  Ｆｅｅｄｂａｃｋ：モーショナルフィードバック）を行うためにコーン紙の動きを検出する振動検出装置およびモーショナルフィードバック音響再生装置に関する。
【背景技術】
【０００２】
ＭＦＢは、コーン紙の動きを検出し、その動きに応じた信号をスピーカやヘッドホンの駆動回路に帰還させて駆動信号を補正する。これにより、スピーカやヘッドホンから原音に忠実な音響を出力させることができる。
特許文献１には、発光ダイオードとフォトダイオードを対向して配置し、それらの間の光路にコーン紙と共に動く遮光板が配置された振動検出装置が記載されている。コーン紙が動くとき、同時に遮光板も動く。コーン紙の動きに応じて遮光板が移動すると、フォトダイオードの受光量が変化する。この振動検出装置は、この受光量の変化により、コーン紙の動きを検出する。このため、この振動検出装置は、スピーカの駆動回路に含まれる磁気回路の影響を受けず、また、小型化が容易である。
【先行技術文献】
【特許文献】
【０００３】
【特許文献１】特開２００８−２２８２１２号公報
【発明の概要】
【発明が解決しようとする課題】
【０００４】
特許文献１に記載の振動検出装置ではフォトダイオードの出力信号に直流成分が含まれる。例えば、この出力信号をコンデンサに通すことによって直流成分をカットすることができる。しかし、コンデンサは低い周波数を減衰させる。また、特許文献１に記載の振動検出装置では、正電源と負電源を用い、０電圧を中心として出力信号を生成することによりコンデンサを省くことができるが、このように構成すると、負電源が必要となる。
また、特許文献１に記載の振動検出装置では、フォトダイオードの受光面に外部の光が入ると、フォトダイオードの出力が変化する。このため、発光ダイオードとフォトダイオードの間の光路に外部の光が入ることを防ぐ必要がある。
【０００５】
また、マグネットとコイルを用いた振動検出装置が存在するが、この振動検出装置は加速度センサーであるために、周波数が低いほど検出感度が下がる。
【０００６】
本発明の目的は、受光素子への外部の光の影響を軽微にし、直流成分を含まない再生信号を生成することができる振動検出装置およびモーショナルフィードバック音響再生装置を提供することである。
【課題を解決するための手段】
【０００７】
上記目的を達成するために、本発明の振動検出装置は、
光を発する光源と、
前記光源が発する光を受光する第１の受光素子と、
前記光源が発する光を受光する第２の受光素子と、
前記光源が発する光を通過させて前記第１の受光素子が当該光を受光することを可能にする第１のスリットと、前記光源が発する光を通過させて前記第２の受光素子が当該光を受光することを可能にする第２のスリットとを有しており、音響再生部において音を発生させる振動部の動きに応じて移動し、前記第１の受光素子の受光量が増加するときに前記第２の受光素子の受光量が減少し、前記第１の受光素子の受光量が減少するときに前記第２の受光素子の受光量が増加するように、前記第１のスリットと前記第２のスリットとが配置された振動部材と、
前記第１の受光素子と前記第２の受光素子のペアが差動対として動作し、前記第１の受光素子の受光量と前記第２の受光素子の受光量との差分に応じた再生信号を出力する信号検出部と、
を備える。
【００１０】
好ましくは、本発明の振動検出装置は、
前記光源が、第１の発光素子と第２の発光素子から成り、
前記第１の受光素子が、前記第１の発光素子に対向して配置されており、前記第１の発光素子が発する光を受光し、
前記第２の受光素子が、前記第２の発光素子に対向して配置されており、前記第２の発光素子が発する光を受光する。
【００１１】
好ましくは、本発明の振動検出装置は、
前記振動部材の横断面が、円弧状である。
【００１２】
好ましくは、本発明の振動検出装置は、
前記振動部材が、円柱または中空の円筒である。
【００１３】
好ましくは、本発明の振動検出装置は、
前記振動部材が、中空の円筒であり、
前記光源が、球状であって、前記振動部材の内部の空洞に配置される。
【００１４】
好ましくは、本発明の振動検出装置は、
前記第１のスリットと前記第２のスリットの形状が前記振動部材の移動方向に長い長方形であって、当該長方形の幅が長さの１／４以下である。
【００１５】
好ましくは、本発明の振動検出装置は、
前記光源と前記振動部材との間、または前記振動部材と前記第１の受光素子および前記第２の受光素子との間に配置される遮光部材であって、前記振動部材の第１のスリットと重なる部分において前記光源が発する光を長方形の形状で通過させる第３のスリットと前記振動部材の第２のスリットと重なる部分において前記光源が発する光を長方形の形状で通過させる第４のスリットとを有する当該遮光部材を備える。
【００１７】
また、本発明の振動検出装置は、
音響再生部において音を発生させる振動部の動きに応じて移動する第１の発光素子および第２の発光素子と、
前記第１の発光素子に対向して配置されており、前記音響再生部に含まれる振動部の動きに応じて移動し、前記第１の発光素子が発する光を受光する第１の受光素子と、
前記第２の発光素子に対向して配置されており、前記音響再生部に含まれる振動部の動きに応じて移動し、前記第２の発光素子が発する光を受光する第２の受光素子と、
前記第１の発光素子が発する光を通過させて前記第１の受光素子が当該光を受光することを可能にする第１のスリットと、前記第２の発光素子が発する光を通過させて前記第２の受光素子が当該光を受光することを可能にする第２のスリットとを有しており、前記音響再生部に含まれる振動部の動きに応じて、前記第１の受光素子の受光量が増加するときに前記第２の受光素子の受光量が減少し、前記第１の受光素子の受光量が減少するときに前記第２の受光素子の受光量が増加するように、前記第１のスリットと前記第２のスリットとが配置された固定部材と、
前記第１の受光素子と前記第２の受光素子のペアが差動対として動作し、前記第１の受光素子の受光量と前記第２の受光素子の受光量との差分に応じた再生信号を出力する信号検出部と、
を備える。
【００１９】
また、本発明の振動検出装置は、
光を発する光源と、
前記光源が発する光を受光する第１の受光素子と、
前記光源が発する光を受光する第２の受光素子と、
音響再生部において音を発生させる振動部の動きに応じて、前記第１の受光素子の受光量が増加するときに前記第２の受光素子の受光量を減少させ、前記第１の受光素子の受光量が減少するときに前記第２の受光素子の受光量を増加させる受光量調整手段と、
前記第１の受光素子と前記第２の受光素子のペアが差動対として動作し、前記第１の受光素子の受光量と前記第２の受光素子の受光量との差分に応じた再生信号を出力する信号検出部と、
を備え、
前記受光量調整手段が、
矩形の形状の光を発する前記光源と、
前記音響再生部に含まれる振動部の動きに応じて移動する前記第１の受光素子および前記第２の受光素子と、
で構成される。
【００２１】
また、本発明のモーショナルフィードバック音響再生装置は、
上述した振動検出装置と、
音源から出力される原音信号と前記振動検出装置から出力される再生信号とに基づいて駆動信号を生成する駆動回路と、
前記駆動信号が供給される前記音響再生部と、
を備える。
【００２２】
また、本発明のモーショナルフィードバック音響再生装置は、
上述した振動検出装置と、
音源から出力される原音信号と前記振動検出装置から出力される再生信号とに基づいて駆動信号を生成する駆動回路と、
前記駆動信号が供給される前記音響再生部と、
を備え、
前記振動検出装置に含まれる振動部材の長手方向の一端が前記音響再生部の中心軸に沿って前記音響再生部のセンターキャップの表面に固定されており、
前記振動検出装置に含まれる光源と第１の受光素子と第２の受光素子とが前記音響再生部のセンターキャップの表側に配置されている。
【００２３】
また、本発明のモーショナルフィードバック音響再生装置は、
上述した振動検出装置と、
音源から出力される原音信号と前記振動検出装置から出力される再生信号とに基づいて駆動信号を生成する駆動回路と、
前記駆動信号が供給される音響再生部と、
を備え、
前記音響再生部に含まれる振動部が、コーン紙を含み、
前記振動検出装置に含まれる振動部材の長手方向の一端が前記音響再生部の中心軸と並行に前記コーン紙に固定されている。
【００２４】
また、本発明のモーショナルフィードバック音響再生装置は、
上述した振動検出装置と、
音源から出力される原音信号と前記振動検出装置から出力される再生信号とに基づいて駆動信号を生成する駆動回路と、
前記駆動信号が供給される音響再生部と、
を備え、
前記振動検出装置に含まれる振動部材の長手方向の一端が前記音響再生部の中心軸に沿って前記音響再生部のセンターキャップの裏面に固定されており、
前記振動検出装置に含まれる光源と第１の受光素子と第２の受光素子とが前記音響再生部のセンターキャップの裏側に配置されている。
【００２５】
好ましくは、本発明のモーショナルフィードバック音響再生装置は、
前記振動検出装置の信号検出部が、再生信号を差動信号として出力し、
前記駆動回路が、
前記再生信号がＸＬＲ端子に入力され、前記再生信号を１本の信号に変換し、原音信号と同一のレベルに増幅して出力する第１のオーディオミキサーと、
前記原音信号と前記第１のオーディオミキサーの出力とがＸＬＲ端子に入力され、前記原音信号と前記増幅された再生信号の差分をエラー信号として出力する第２のオーディオミキサーと、
前記原音信号と前記エラー信号がＸＬＲ端子に入力され、前記原音信号から前記エラー信号が除かれた信号成分を出力する第３のオーディオミキサーと、
を有する。
【発明の効果】
【００２６】
本発明によれば、受光素子への外部の光の影響を軽微にし、直流成分を含まない再生信号を生成することができる。
【図面の簡単な説明】
【００２７】
【図１】本発明の第１の実施形態に係るモーショナルフィードバックスピーカの構成の一例を示す図である。
【図２】図１のモーショナルフィードバックスピーカについて、２つの発光ダイオードと振動部材の２つのスリットとの配置の一例を示す図である。図２（Ａ）はコーン紙が負方向の最大位置にあるときの配置を示す。図２（Ｂ）はコーン紙が０の位置（コーン紙が振動していないときの位置）にあるときの配置を示す。図２（Ｃ）はコーン紙が正方向の最大位置にあるときの配置を示す。
【図３】振動検出装置に含まれる信号検出部の構成の例を示す図である。図３（Ａ）は、信号検出部の構成の一例を示す。図３（Ｂ）は、信号検出部の構成の他の例を示す。
【図４】駆動回路の構成の一例を示す図である。
【図５】振動部材の第１の変形例を示す図である。
【図６】振動部材の第２の変形例を示す図である。
【図７】振動部材の第３の変形例を示す図である。
【図８】振動部材の第４の変形例およびそれと共に用いられる光源の一例を示す図である。図８（Ａ）はコーン紙が負方向の最大位置にあるときの光源と２つのスリットの配置を示す。図８（Ｂ）はコーン紙が０の位置（コーン紙が振動していないときの位置）にあるときの光源と２つのスリットの配置を示す。図８（Ｃ）はコーン紙が正方向の最大位置にあるときの光源と２つのスリットの配置を示す。
【図９】遮光部材の一例を示す図である。
【図１０】振動部材と遮光部材を併用したとき、２つのフォトトランジスタが受光する光の形状の一例を示す図である。図１０（Ａ）はコーン紙が負方向の最大位置にあるときに受光する光の形状を示す。図１０（Ｂ）はコーン紙が０の位置（コーン紙が振動していないときの位置）にあるときに受光する光の形状を示す。図１０（Ｃ）はコーン紙が正方向の最大位置にあるときに受光する光の形状を示す。
【図１１】図８の振動部材と併用される遮光部材の変形例を示す図である。図１１（Ａ）はコーン紙が負方向の最大位置にあるときの振動部材と遮光部材の配置を示す。図８（Ｂ）はコーン紙が０の位置（コーン紙が振動していないときの位置）にあるときの振動部材と遮光部材の配置を示す。図８（Ｃ）はコーン紙が正方向の最大位置にあるときの振動部材と遮光部材の配置を示す。
【図１２】フォトトランジスタの前に集光レンズが配置された構成の一例を示す図である。
【図１３】モーショナルフィードバックスピーカの第１の変形例の構成の一例を示す図である。
【図１４】スピーカボックス内に収容された第１の変形例のモーショナルフィードバックスピーカの一例を示す図である。
【図１５】ヘッドホンに適用された第１の変形例のモーショナルフィードバックスピーカの一例を示す図である。
【図１６】モーショナルフィードバックスピーカの第２の変形例の構成の一例を示す図である。
【図１７】スピーカボックス内に収容された第２の変形例のモーショナルフィードバックスピーカの一例を示す図である。
【図１８】３台のオーディオミキサーで構成された駆動回路の一例を示す図である。
【図１９】出力がオーディオミキサーのＸＬＲ端子に接続される信号検出部の構成の一例を示す図である。
【図２０】出力がオーディオミキサーのＸＬＲ端子に接続される信号検出部の構成の他の例を示す図である。
【図２１】出力がオーディオミキサーのＸＬＲ端子に接続される信号検出部の構成の更に他の例を示す図である。
【図２２】モーショナルフィードバックスピーカの第３の変形例の構成の一例を示す図である。
【図２３】図２２のモーショナルフィードバックスピーカについて、発光素子とスリットと２つのフォトトランジスタとの配置の一例を示す図である。図２３（Ａ）はコーン紙が負方向の最大位置にあるときの配置を示す。図２３（Ｂ）はコーン紙が０の位置（コーン紙が振動していないときの位置）にあるときの配置を示す。図２３（Ｃ）はコーン紙が正方向の最大位置にあるときの配置を示す。
【図２４】モーショナルフィードバックスピーカの第４の変形例の構成の一例を示す図である。
【図２５】本発明の第２の実施形態に係るモーショナルフィードバックスピーカの構成の一例を示す図である。
【図２６】図２５のモーショナルフィードバックスピーカについて、光源と２つのフォトトランジスタとの配置の一例を示す図である。図２６（Ａ）はコーン紙が負方向の最大位置にあるときの配置を示す。図２６（Ｂ）はコーン紙が０の位置（コーン紙が振動していないときの位置）にあるときの配置を示す。図２６（Ｃ）はコーン紙が正方向の最大位置にあるときの配置を示す。
【図２７】本発明の第２の実施形態に係るモーショナルフィードバックスピーカの変形例の構成を示す図である。
【図２８】図２７のモーショナルフィードバックスピーカについて、光源と２つのフォトトランジスタとの配置の一例を示す図である。図２８（Ａ）はコーン紙が負方向の最大位置にあるときの配置を示す。図２８（Ｂ）はコーン紙が０の位置（コーン紙が振動していないときの位置）にあるときの配置を示す。図２８（Ｃ）はコーン紙が正方向の最大位置にあるときの配置を示す。
【図２９】本発明の第３の実施形態に係るモーショナルフィードバックスピーカの構成の一例を示す図である。
【図３０】コーン紙が０の位置（コーン紙が振動していないときの位置）にあるときの２つの発光ダイオードと２つのダイヤ形のスリットとの配置の一例を示す図である。
【発明を実施するための形態】
【００２８】
以下、本発明の実施形態に係る振動検出装置およびモーショナルフィードバック音響再生装置について図面を参照しながら詳細に説明する。なお、実施形態を説明する全図において、共通の構成要素には同一の符号を付し、繰り返しの説明を省略する。
【００２９】
図１は、本発明の第１の実施形態に係るモーショナルフィードバックスピーカ１の構成の一例を示す。
モーショナルフィードバックスピーカ１は、振動検出装置１０Ａとスピーカ１００とを有する。
スピーカ１００は、センターキャップ１０１と、振動板であるコーン紙１０２と、エッジ１０３と、スパイダー１０４と、ボイスコイル１０５と、ボイスコイルボビン１０５Ａと、アウターポール１０６と、マグネット１０７と、センターポール１０８と、フレーム１０９とを有する。スピーカ１００は、通常のスピーカである。
なお、センターキャップ１０１とコーン紙１０２とは、それぞれ本発明の音響再生部に含まれる振動部の例である。
【００３０】
振動検出装置１０Ａは、発光ダイオード（ＬＥＤ）１１と、発光ダイオード１２と、フォトトランジスタ１３と、フォトトランジスタ１４と、振動部材２０と、支持部材３０と、再生信号検出部４０とを有する。
支持部材３０は、スピーカ１００のフレーム１０９の上部に固定されている。発光ダイオード１１と発光ダイオード１２とフォトトランジスタ１３とフォトトランジスタ１４は支持部材３０の下部に取り付けられている。再生信号検出部４０は、支持部材３０の上部に取り付けられている。
発光ダイオード１１とフォトトランジスタ１３は、対向して配置されている。発光ダイオード１２とフォトトランジスタ１４も、対向して配置されている。
振動部材２０は、チタンのような軽くて固い材料でできている。振動部材２０は、長手方向の一端（図１では下端）がスピーカ１００の中心軸１１０に沿ってセンターキャップ１０１の表面に、接着剤等を用いて垂直に固定されている。センターキャップ１０１が動くとき、振動部材２０はそれと同時に移動する。センターキャップ１０１は、コーン紙１０２と連動しているため、振動部材２０の動きを検出することにより、コーン紙１０２の動きを検出することができる。
なお、モーショナルフィードバックスピーカ１は本発明のモーショナルフィードバック音響再生装置の例であり、発光ダイオード１１は本発明の第１の発光素子の例であり、発光ダイオード１２は本発明の第２の発光素子の例であり、フォトトランジスタ１３は本発明の第１の受光素子の例であり、フォトトランジスタ１４は本発明の第２の受光素子の例であり、スピーカ１００は本発明の音響再生部の例である。
【００３１】
図２は、２つの発光ダイオード１１，１２と振動部材２０の２つのスリット２１，２２との配置の一例を示す。
振動部材２０は、例えば、長方形の平板である。振動部材２０は、スリット２１とスリット２２を有する。スリット２１は、発光ダイオード１１が発する光を通過させる。フォトトランジスタ１３は、スリット２１を通過した光を受光する。また、スリット２２は、発光ダイオード１２が発する光を通過させる。フォトトランジスタ１４は、スリット２２を通過した光を受光する。
図２の例では、図２（Ａ）に示すように、コーン紙が負方向の最大位置にあるとき、フォトトランジスタ１３の受光量は０であり、フォトトランジスタ１４の受光量は最大である。図２（Ｂ）に示すように、コーン紙が０の位置（コーン紙が振動していないときの位置）にあるとき、フォトトランジスタ１３とフォトトランジスタ１４の受光量は等しい。図２（Ｃ）に示すように、コーン紙が正方向の最大位置にあるとき、フォトトランジスタ１３の受光量は最大であり、フォトトランジスタ１４の受光量は０である。
【００３２】
振動部材２０は、コーン紙１０２の動きに応じてその長手方向（図２における上下方向）に移動する。コーン紙１０２が負の位置から正の位置に向けて動くとき（すなわち振動部材２０が図２（Ａ）に示す位置から図２（Ｃ）に示す位置に向けて移動するとき）、スリット２１を通過する発光ダイオード１１の光量はコーン紙１０２の移動量に応じて増加し、スリット２２を通過する発光ダイオード１２の光量はコーン紙１０２の移動量に応じて減少する。このとき、フォトトランジスタ１３の受光量はコーン紙１０２の移動量に応じて増加し、フォトトランジスタ１４の受光量はコーン紙１０２の移動量に応じて減少する。
【００３３】
一方、コーン紙１０２が正の位置から負の位置に向けて動くとき（すなわち振動部材２０が図２（Ｃ）に示す位置から図２（Ａ）に示す位置に向けて移動するとき）、スリット２１を通過する発光ダイオード１１の光量はコーン紙１０２の移動量に応じて減少し、スリット２２を通過する発光ダイオード１２の光量はコーン紙１０２の移動量に応じて増加する。このとき、フォトトランジスタ１３の受光量はコーン紙１０２の移動量に応じて減少し、フォトトランジスタ１４の受光量はコーン紙１０２の移動量に応じて増加する。
【００３４】
スリット２１とスリット２２は、例えば振動部材２０の移動方向に長い長方形であり、同一の形と大きさである。図２の例では、スリット２１とスリット２２は振動部材２０の長手方向（縦方向）に並べて配置されている。そして、発光ダイオード１１と発光ダイオード１２の発光部の直径は、センターキャップ１０１の最大振幅に等しい。その直径をＨとすると、スリット２１とスリット２２の長手方向（縦方向）の長さはＨである。スリット２１とスリット２２の短手方法（横方向）の幅Ｗは、Ｈ／４である。
【００３５】
ただし、図２の関係は一例であり、コーン紙１０２の動きに応じて、フォトトランジスタ１３の受光量が増加するときにフォトトランジスタ１４の受光量が減少し、フォトトランジスタ１３の受光量が減少するときにフォトトランジスタ１４の受光量が増加するという条件を満たせば、図２に示される各要素の配置や長さは図２と異なっていてもよい。
例えば、コーン紙が０の位置（コーン紙が振動していないときの位置）にあるときにフォトトランジスタ１３の受光量とフォトトランジスタ１４の受光量は、同一であることが好ましいが、異なっていてもよい。
また、例えば、スリット２１とスリット２２の長手方向（縦方向）の長さはセンターキャップ１０１の最大振幅以上であってもよい。
また、スリット２１とスリット２２の短手方法（横方向）の幅Ｗは、スリット２１とスリット２２を通過する光の形が矩形に近くなる長さであればよい。幅Ｗは、Ｈ／４より大きくても小さくてもよいが、Ｈ／４以下かつＨ／１０以上の長さであることが望ましい。
なお、スリット２１は本発明の第１のスリットの例であり、スリット２２は本発明の第２のスリットの例である。
【００３６】
図３（Ａ）は、振動検出装置１０Ａに含まれる信号検出部４０Ａの構成の一例を示す。
信号検出部４０Ａにおいて、抵抗Ｒ１は、一端に電源電圧Ｖｃｃが入力され、他端が発光ダイオード１１のアノードに接続されている。発光ダイオード１１のカソードは接地されている。抵抗Ｒ２は、一端に電源電圧Ｖｃｃが入力され、他端が発光ダイオード１２のアノードに接続されている。発光ダイオード１２のカソードは接地されている。抵抗Ｒ３は、一端に電源電圧Ｖｃｃが入力され、他端がフォトトランジスタ１３のコレクタとフォトトランジスタ１４のコレクタとに接続されている。フォトトランジスタ１３のエミッタは抵抗Ｒ４の一端に接続されている。抵抗Ｒ４の他端は接地されている。フォトトランジスタ１４のエミッタは抵抗Ｒ５の一端に接続されている。抵抗Ｒ５の他端は接地されている。また、フォトトランジスタ１３のエミッタは、差動増幅器４１の非反転入力端子（＋）に接続されている。フォトトランジスタ１４のエミッタは、差動増幅器４１の反転入力端子（−）に接続されている。差動増幅器４１の出力は出力端子４２に接続されている。出力端子４２は再生信号を出力する。再生信号は、コーン紙１０２の振動を示す信号である。
特許文献１に記載の振動検出装置のように受光素子が１個の構成に比べて、図３（Ａ）の構成では出力端子４２から２倍の大きさの再生信号が出力される。
【００３７】
フォトトランジスタ１３とフォトトランジスタ１４のペアは、差動対として動作する。出力端子４２は、フォトトランジスタ１３の受光量とフォトトランジスタ１４の受光量との差分に比例した再生信号を出力する。
このため、再生信号は直流成分を含まない。また、振動検出装置１０Ａの外部からフォトトランジスタ１３とフォトトランジスタ１４に入射する光が変化するとき、フォトトランジスタ１３とフォトトランジスタ１４の受光量は同様に変化する。従って、図３（Ａ）の振動検出装置１０Ａでは、再生信号は特許文献１に記載の振動検出装置に比べて２倍の大きさでありながら外部からの光の変化は再生信号に影響を及ぼさない。
【００３８】
図３（Ｂ）は、振動検出装置１０Ａに含まれる信号検出部の構成の他の例４０Ｂを示す。
信号検出部４０Ｂは、抵抗Ｒ３が定電流源４３に置き換えられている点、フォトトランジスタ１３のエミッタが増幅器４４の入力に接続され、増幅器４４の出力が出力端子４２に接続されている点が信号検出部４０Ａと異なる。それ以外の点では、信号検出部４０Ｂは信号検出部４０Ａと同一の構成である。
信号検出部４０Ｂにおいても、信号検出部４０Ａと同様に、フォトトランジスタ１３とフォトトランジスタ１４のペアは、差動対として動作する。出力端子４２は、フォトトランジスタ１３の受光量とフォトトランジスタ１４の受光量との差分に比例した再生信号を出力する。
【００３９】
図４は、駆動回路５０Ａの構成の一例を示す。
駆動回路５０Ａは、従来のモーショナルフィードバックを行うスピーカ駆動回路である。駆動回路５０Ａは、減算器５２と、差動増幅器５３と、増幅器５４とを有する。
入力端子５１には、音源から出力される原音信号が入力される。減算器５２には、原音信号と振動検出装置１０Ａからフィードバックされる再生信号とが入力される。減算器５２は、原音信号と再生信号の差分をエラー信号として出力する。差動増幅器５３の非反転入力端子（＋）には原音信号が入力され、反転入力端子（−）にはエラー信号が入力される。差動増幅器５３は原音信号からエラー信号が除かれた信号成分を増幅して出力する。増幅器５４は、差動増幅器５３の出力を増幅して駆動信号を生成する。駆動信号は、スピーカ１００のボイスコイル１０５に供給される。
【００４０】
図５は、振動部材の第１の変形例２０Ａを示す。振動部材２０Ａは、長方形の平板である。振動部材２０Ａでは、スリット２１とスリット２２は振動部材２０Ａの短手方法（横方向）に並んで配置されている。
図５には、図２（Ｂ）と同様に、コーン紙が０の位置（コーン紙が振動していないときの位置）にあるときの発光ダイオード１１と発光ダイオード１２の配置が示されている。振動部材２０Ａを用いる場合でも発光ダイオード１１とフォトトランジスタ１３のスリット２１に対する相対的な配置は、振動部材２０が用いられる場合と同様である。同様に、発光ダイオード１２とフォトトランジスタ１４のスリット２２に対する相対的な配置も、振動部材２０が用いられる場合と同様である。結果として、発光ダイオード１１とフォトトランジスタ１３は、発光ダイオード１２とフォトトランジスタ１４に対して上方にずらして配置される。
【００４１】
図６は、振動部材の第２の変形例２０Ｂを示す。
振動部材２０Ｂは、横断面が円弧状である点が振動部材２０と異なる。これ以外の点では、振動部材２０Ｂは振動部材２０と同一である。
図７は、振動部材の第３の変形例２０Ｃを示す。
振動部材２０Ｃは、円柱または中空の円筒である点が振動部材２０と異なる。これ以外の点では、振動部材２０Ｃは振動部材２０と同一である。
振動部材２０または振動部材２０Ａのように長方形の平板は、コーン紙が振動すると平板に垂直な方向に横揺れするおそれがある。一方、振動部材２０Ｂのように横断面が円弧状であるか、または振動部材２０Ｃのように円柱または円筒である場合、横揺れしにくくなる。
【００４２】
図８は、振動部材の第４の変形例２０Ｄおよびそれと共に用いられる光源１５の一例を示す。
振動部材２０Ｄは中空の円筒である。光源１５は、球状であって、振動部材２０Ｄの内部の空洞に配置される。光源１５は、支持部材３０の下部に図示しない支持棒を介して取り付けられている。
振動部材２０Ｄのスリット２１とスリット２２は、円筒の側面において、例えば反対側に配置される。振動部材２０Ｄのスリット２１とスリット２２の側面上における形と大きさは、図２の振動部材２０におけるスリット２１とスリット２２と同様の形と大きさである。ただし、図２の振動部材２０ではスリット２１がスリット２２の上方に配置されていたが、図８の振動部材２０Ｄではスリット２１はスリット２２より下側に配置される。従って、図２ではフォトトランジスタ１３がフォトトランジスタ１４の上方に配置されていたのに対し、図８ではフォトトランジスタ１３はフォトトランジスタ１４より下側に配置される。スリット２２の下端（振動部材２０Ｄが移動する方向においてスピーカ１００に近い側の端）とスリット２１の上端（振動部材２０Ｄが移動する方向においてスピーカ１００から遠い側の端）は同一の平面上に位置する。
【００４３】
振動部材２０Ｄを用いた振動検出装置１０Ａは、図２の振動部材２０を用いた振動検出装置１０Ａと同様に動作する。
すなわち、スリット２１は、光源１５が発する光を通過させる。フォトトランジスタ１３は、スリット２１を通過した光を受光する。また、スリット２２は、光源１５が発する光を通過させる。フォトトランジスタ１４は、スリット２２を通過した光を受光する。
図８の例では、図８（Ａ）に示すように、コーン紙が負方向の最大位置にあるとき、フォトトランジスタ１３の受光量は０であり、フォトトランジスタ１４の受光量は最大である。図８（Ｂ）に示すように、コーン紙が０の位置（コーン紙が振動していないときの位置）にあるとき、フォトトランジスタ１３とフォトトランジスタ１４の受光量は等しい。図８（Ｃ）に示すように、コーン紙が正方向の最大位置にあるとき、フォトトランジスタ１３の受光量は最大であり、フォトトランジスタ１４の受光量は０である。
振動部材２０Ｄは、仮に図８（Ｂ）に示すコーン紙が０の位置（コーン紙が振動していないときの位置）においてフォトトランジスタ１３の受光量とフォトトランジスタ１４の受光量とのゼロバランスに差があっても、光源１５を上下に移動させることにより、ゼロバランスを調整することができる。
【００４４】
図９は、遮光部材２３の一例を示す。
遮光部材２３は、発光ダイオード１１および発光ダイオード１２と振動部材２０との間、または振動部材２０とフォトトランジスタ１３およびフォトトランジスタ１４との間に配置される。遮光部材２３は、長手方向の一端（図９では上端）が支持部材３０の下部に固定される。
遮光部材２３は、スリット２４とスリット２５とを有する。スリット２４とスリット２５は、例えば長方形であり、同一の形と大きさである。スリット２４とスリット２５の長手方向（縦方向）の長さはｈである。長さｈは、発光ダイオード１１と発光ダイオード１２の発光部の直径Ｈよりも短い。
【００４５】
図１０（Ａ）〜図１０（Ｃ）に斜線で示すように、遮光部材２３のスリット２４は、振動部材２０のスリット２１と重なる部分において発光ダイオード１１が発する光を長方形の形状で通過させる。このため、フォトトランジスタ１３が受光する光の形状は長方形である。同様に、遮光部材２３のスリット２５は、振動部材２０のスリット２２と重なる部分において発光ダイオード１２が発する光を長方形の形状で通過させる。このため、フォトトランジスタ１４が受光する光の形状は長方形である。従って、振動部材２０のスリット２１とスリット２２の幅Ｗを増加させることができる。これにより、発光ダイオード１１と発光ダイオード１２が発する光を有効に利用することができる。
なお、スリット２４は本発明の第３のスリットの例であり、スリット２５は本発明の第４のスリットの例である。
【００４６】
図１１は、図８の振動部材２０Ｄと併用される遮光部材の変形例２３Ａを示す。
遮光部材２３Ａは、中空の円筒である。遮光部材２３Ａは、長手方向の一端（図１１では上端）が支持部材３０の下部に固定される。
振動部材２０Ｄは、遮光部材２３Ａの内部の空洞に挿入され、その空洞内で長手方向（図１１では上下）に動く。遮光部材２３Ａのスリット２４とスリット２５は、円筒の側面において、例えば対向して配置される。この場合、遮光部材２３Ａの側面は、振動部材２０Ｄとフォトトランジスタ１３およびフォトトランジスタ１４との間に配置される。そして、遮光部材２３Ａのスリット２４は、振動部材２０Ｄのスリット２１と重なる部分において発光素子１５が発する光を長方形の形状で通過させる。同様に、遮光部材２３Ａのスリット２５は、振動部材２０Ｄのスリット２２と重なる部分において発光素子１５が発する光を長方形の形状で通過させる。
なお、振動部材２０Ｄの内部の空洞に遮光部材２３Ａが挿入される構成とすることもできる。この場合、遮光部材２３Ａの側面は、発光素子１５と振動部材２０Ｄとの間に配置される。そして、遮光部材２３Ａのスリット２４は、振動部材２０Ｄのスリット２１と重なる部分において発光素子１５が発する光を長方形の形状で通過させる。同様に、遮光部材２３Ａのスリット２５は、振動部材２０Ｄのスリット２２と重なる部分において発光素子１５が発する光を長方形の形状で通過させる。
【００４７】
図１２に示すように、フォトトランジスタ１３の受光面の面積が狭い場合には、フォトトランジスタ１３の受光面の前に集光レンズ１６を配置することができる。これにより、発光ダイオード１１が発した光を集光してフォトトランジスタ１３の受光面に入射させることができる。
同様に、フォトトランジスタ１４の受光面の前に集光レンズを配置することができる。
【００４８】
図１３は、モーショナルフィードバックスピーカ１の第１の変形例２の構成の一例を示す。
モーショナルフィードバックスピーカ２は、振動検出装置１０Ｂとスピーカ１００とを有する。
モーショナルフィードバックスピーカ２のスピーカ１００は、モーショナルフィードバックスピーカ１のスピーカ１００と同一の構成である。
振動検出装置１０Ｂは、発光ダイオード１１と、発光ダイオード１２と、フォトトランジスタ１３と、フォトトランジスタ１４と、振動部材２６と、支持部材３１と、再生信号検出部４０とを有する。
振動検出装置１０Ｂは、振動部材２６がコーン紙１０２に固定されている点が振動検出装置１０Ａと異なる。この点を除き、振動検出装置１０Ｂは振動検出装置１０Ａと同一の構成である。なお、発光ダイオード１１と発光ダイオード１２とフォトトランジスタ１３とフォトトランジスタ１４は支持部材３１の下部に取り付けられており、再生信号検出部４０は支持部材３１の上部に取り付けられている。
振動部材２６は、長手方向の一端（図１３では下端）がスピーカ１００の中心軸１１０と並行に、接着剤等を用いてコーン紙１０２に固定されている。支持部材３１は、コーン紙１０２が振動しても発光ダイオード１２等がコーン紙１０２に接触しないように、フレーム１０９の上部に取り付けられる。
なお、モーショナルフィードバックスピーカ２では振動部材２６がコーン紙１０２に固定されているが、バランスを保つために、コーン紙１０２において振動部材２６の位置と対称な位置にダミーの振動部材を取り付けてもよい。
モーショナルフィードバックスピーカ２は本発明のモーショナルフィードバック音響再生装置の例である。
【００４９】
図１４は、スピーカボックス２００内に収容されたモーショナルフィードバックスピーカ２の一例を示す。この構成では、コーン紙１０２の振動によって生じる音は、コーン紙１０２の前方の開放空間とコーン紙１０２の後方の密閉空間とに伝搬する。前方の開放空間に伝搬した音波は、部屋の壁や天井、床等で反射してコーン紙１０２に戻る。また、後方に伝搬した音波はスピーカボックス２００の内壁で反射され、コーン紙１０２に戻る。コーン紙１０２に戻った音波は、コーン紙に余分な振動１０２ａを生じさせる。この音波は、原音に対して遅延しているため、スピーカで再生される音を乱す。振動検出装置１０Ｂはコーン紙１０２の振動を直接検出し、コーン紙１０２の動きを駆動回路５０Ａにフィードバックする。このため、モーショナルフィードバックスピーカ２は、モーショナルフィードバックスピーカ１よりも原音に忠実な音を再生できる可能性がある。
【００５０】
さらに、５．１チャンネルなどのマルチチャンネルスピーカ仕様のサラウンドシステムでは、対向したスピーカからの音波が、他チャンネルのスピーカのコーン紙やスピーカボックス内に飛び込んでくる可能性もあり、スピーカが増えるほどこの音波が原音に忠実な音の再生に障害となる可能性が生じる。この点でも、図１４に示すスピーカボックス２００内に収容されたモーショナルフィードバックスピーカ２は、より原音に忠実な音を再生し、サラウンド音場をより忠実に再現できる可能性がある。
【００５１】
例えば、図１５に示すように、モーショナルフィードバックスピーカ２がヘッドホンに適用された場合、コーン紙１０２と耳の間には密閉空間が形成される。この密閉空間には外光が入りにくい。
コーン紙１０２の前方の密閉空間に伝搬した音波は、外耳で反射してコーン紙１０２に戻る。また、裏面２０１が開放された構造のヘッドホンの場合、裏面２０１と側面２０２とスピーカ１００とで囲まれる開放空間に周囲の騒音が侵入する。外耳で反射した音波に加えて開放空間に侵入する騒音も、コーン紙に余分な振動１０２ａを生じさせる。しかし、振動検出装置１０Ｂは周りの騒音を含め、あらゆる音波を拾うので、ノイズキャンセル機能付きヘッドホンとしての動作までも可能になる。
【００５２】
また、飛行機の飛行中や電車がトンネルを通過するときに気圧が急激に変化する場合がある。振動検出装置１０Ｂは、スピーカボックス２００の内壁や部屋の壁、人の外耳等からの反射音や周囲の騒音によってコーン紙１０２に生じる余分な振動だけでなく、このような気圧の急激な変化等によりコーン紙１０２に生じる余分な振動も検出することができる。駆動回路５０Ａはその余分な振動に応じて修正されたスピーカ１００の駆動信号を出力する。このことは結果的に、圧力センサー等を使うことなく、外耳から内耳に加わる気圧変化を軽減することになる。
【００５３】
図１６は、モーショナルフィードバックスピーカの第２の変形例３の構成の一例を示す。
モーショナルフィードバックスピーカ３は、振動検出装置１０Ｃとスピーカ１００とを有する。
振動検出装置１０Ｃは、発光ダイオード１１と、発光ダイオード１２と、フォトトランジスタ１３と、フォトトランジスタ１４と、振動部材２７と、支持部材３２と、再生信号検出部４０とを有する。
振動検出装置１０Ａがセンターキャップ１０１の表側に配置されているのに対し、振動検出装置１０Ｃはセンターキャップ１０１の裏側に配置される。それ以外の点は、モーショナルフィードバックスピーカ３はモーショナルフィードバックスピーカ１と同一である。
振動部材２７は、長手方向の一端（図１６では上端）がスピーカ１００の中心軸１１０に沿ってセンターキャップ１０１の裏面に、接着剤等を用いて垂直に固定される。支持部材３２は、例えば、内部が空洞の円筒であり、センターポール１０８の上面に固定される。支持部材３２の内部に発光ダイオード１１と発光ダイオード１２とフォトトランジスタ１３とフォトトランジスタ１４と再生信号検出部４０とが配置される。振動検出装置１０Ｃにおける発光ダイオード１１と発光ダイオード１２とフォトトランジスタ１３とフォトトランジスタ１４と再生信号検出部４０とは、振動検出装置１０Ａのものと同一の構成である。
【００５４】
センターポール１０８は、孔１１１を有する。孔１１１は、中心軸１１０の周りに、中心軸１１０と並行に配置されている。孔１１１の中を振動検出装置１０Ｃのための配線が通る。
なお、図１６では支持部材３２の外径が孔１１１の直径よりも大きい例を示したが、支持部材３２の外径と孔１１１の直径が略同一であって、支持部材３２の下部が孔１１１を貫通し、支持部材３２の下端がセンターポール１０８の下端に達する構成としてもよい。空気を抜くために孔１１１が設けられたセンターポール１０８が存在する。そのようなセンターポール１０８では、その孔１１１を利用して振動検出装置１０Ｃを設置することができる。例えば、発光ダイオード１１と発光ダイオード１２とフォトトランジスタ１３とフォトトランジスタ１４と支持部材３２と一緒に、支持部材３２に仮固定された振動部材２７を孔１１１から挿入し、振動部材２７をセンターキャップ１０１に予め付けてある接着部材に接着固定した後、振動部材２７と支持部材３２の仮止めを解除し（外し）、振動部材２７をセンターキャップ１０１の裏面に固定することにより、振動検出装置１０Ｃを設置することができる。
なお、モーショナルフィードバックスピーカ３は本発明のモーショナルフィードバック音響再生装置の例である。
【００５５】
図１７は、スピーカボックス２００内に収容された第２の変形例のモーショナルフィードバックスピーカ３の一例を示す。
この構成では、振動検出装置１０Ｃは外光の入りにくい密閉空間に配置される。このため、振動検出装置１０Ｃは、振動検出装置１０Ａと振動検出装置１０Ｂよりも更に外光の変化の影響を受けずに、センターキャップの振動１０１ａとコーン紙の振動１０２ｂを検出することができる。
【００５６】
図１８は、３台のオーディオミキサー６０，６１，６２で構成された駆動回路５０Ｂの一例を示す。
駆動回路５０Ｂは、オーディオミキサー６０と、オーディオミキサー６１と、オーディオミキサー６２と、パワーアンプ６６とを有する。駆動回路５０Ｂは、図４の駆動回路５０Ａと同様に動作する。
３台のオーディオミキサー６０，６１，６２は、例えばヤマハミキシングコンソールＭＧ０６のような通常のオーディオミキサーである。３台のオーディオミキサー６０，６１，６２は、入力用にＸＬＲ端子（キャノンコネクター）６５を有する。
【００５７】
図１９は、出力がオーディオミキサーのＸＬＲ端子６５に接続される信号検出部４０Ｃの構成の一例を示す。
図３（Ａ）の信号検出部４０Ａでは、フォトトランジスタ１３のエミッタとフォトトランジスタ１４のエミッタはそれぞれ差動増幅器４１の非反転入力端子（＋）と反転入力端子（−）に接続される。そして、信号検出部４０Ａの出力端子４２は差動増幅器４１の出力端子に接続される。これに対し、信号検出部４０Ｃは、差動増幅器４１を有していない。出力端子４４と出力端子４５には、それぞれフォトトランジスタ１３のエミッタとフォトトランジスタ１４のエミッタが接続される。これ以外の点では、信号検出部４０Ｃは信号検出部４０Ａと同一の構成である。
信号検出部４０Ｃの出力は、キャノンケーブルを用いてオーディオミキサー６０のＸＬＲ端子６５に接続される。信号検出部４０Ｃの出力端子４４と出力端子４５は、オーディオミキサー６０のＸＬＲ端子６５の２番ピン（ＨＯＴ）と３番ピン（ＣＯＬＤ）にそれぞれ接続される。オーディオミキサー６０のＸＬＲ端子６５の１番ピンは接地される。
【００５８】
駆動回路５０Ｂの入力端子５１には原音信号が入力される。オーディオミキサー６０は、図３（Ａ）の信号検出部４０Ａに含まれる差動増幅器４１に相当する。オーディオミキサー６０は、信号検出部４０Ｃから出力される差動信号を１本の信号に変換し、原音信号と同一のレベルに増幅して出力する。
オーディオミキサー６１は、図４の駆動回路５０Ａにおける減算器５２に相当する。オーディオミキサー６１のＸＬＲ端子６５の２番ピン（ＨＯＴ）と３番ピン（ＣＯＬＤ）には、それぞれ原音信号とオーディオミキサー６０の出力が入力される。オーディオミキサー６１のＸＬＲ端子６５の１番ピンは接地される。オーディオミキサー６１は、駆動回路５０Ａの減算器５２と同様に、原音信号と再生信号の差分をエラー信号として出力する。
オーディオミキサー６２は、図４の駆動回路５０Ａにおける差動増幅器５３に相当する。オーディオミキサー６２のＸＬＲ端子６５の２番ピン（ＨＯＴ）と３番ピン（ＣＯＬＤ）には、それぞれ原音信号とエラー信号が入力される。オーディオミキサー６２のＸＬＲ端子６５の１番ピンは接地される。オーディオミキサー６２は、原音信号からエラー信号が除かれた信号成分を出力する。
パワーアンプ６６は、図４の駆動回路５０Ａにおける増幅器５４に相当する。パワーアンプ６６は、オーディオミキサー６２の出力を増幅して駆動信号を出力する。駆動信号は、スピーカ１００のボイスコイル１０５に供給される。
【００５９】
図２０は、出力がオーディオミキサーのＸＬＲ端子に接続される信号検出部の構成の他の例４０Ｄを示す。信号検出部４０Ｄは、再生信号用のＸＬＲ端子６５から電源電圧Ｖｃｃが供給される点が信号検出部４０Ｃと異なる。ＸＬＲ端子６５の２番ピンと３番ピンには再生信号が入力されるとともに、それらのピンから＋４８Ｖの直流電圧が供給される。この直流電圧が抵抗Ｒ６と抵抗Ｒ７を介して電源電圧Ｖｃｃとして抵抗Ｒ１と抵抗Ｒ２と抵抗Ｒ３の接続点に供給される。＋４８Ｖの直流電圧を遮断するために、フォトトランジスタ１３のエミッタとＸＬＲ端子６５の２番ピンの間にコンデンサＣ１が配置され、フォトトランジスタ１４のエミッタとＸＬＲ端子６５の３番ピンの間にコンデンサＣ２が配置されている。それ以外の点では、信号検出部４０Ｄは、信号検出部４０Ｃと同一の構成である。この構成により、信号検出部４０Ｄには、オーディオミキサーのコンデンサマイク用ファンタム電源（公称＋４８Ｖ）から、ＸＬＲ端子６５を介してキャノンケーブル経由で電源電圧Ｖｃｃが供給される。
【００６０】
図２１は、出力がオーディオミキサーのＸＬＲ端子に接続される信号検出部の構成の更に他の例４０Ｅを示す。信号検出部４０Ｅは、電源電圧供給専用のＸＬＲ端子６５Ａから電源電圧Ｖｃｃが供給される点が信号検出部４０Ｃと異なる。それ以外の点では、信号検出部４０Ｅは、信号検出部４０Ｃと同一の構成である。
ＸＬＲ端子６５Ａの２番ピンは抵抗Ｒ６を介して抵抗Ｒ３の一端に接続される。また、ＸＬＲ端子６５Ａの３番ピンは抵抗Ｒ７を介して抵抗Ｒ３の一端に接続される。この構成により、抵抗Ｒ１と抵抗Ｒ２と抵抗Ｒ３の接続点に、オーディオミキサーのコンデンサマイク用ファンタム電源（公称＋４８Ｖ）から、ＸＬＲ端子６５Ａを介してキャノンケーブル経由で電源電圧Ｖｃｃが供給される。
図２０の信号検出部４０Ｄでは、フォトトランジスタ１３のエミッタとフォトトランジスタ１４のエミッタから出力される差動信号はコンデンサＣ１とコンデンサＣ２を通ってＸＬＲ端子６５に供給されるため、それらの低周波成分が減衰する。これに対し、図２１の信号検出部４０Ｅでは、フォトトランジスタ１３のエミッタとフォトトランジスタ１４のエミッタから出力される差動信号はＸＬＲ端子６５に直接供給されるため、その低周波成分は減衰しない。
【００６１】
なお、ファンタム電源は、それほど電力を必要としないコンデンサマイク用の電源のため、負荷や機器によっては電圧変動が一様ではないが、フォトトランジスタ１３とフォトトランジスタ１４は差動対として動作するため、ファンタム電源の電圧変動による影響を受けにくい。
【００６２】
図１８の駆動回路５０Ｂはオーディオミキサーを使用しているので、原音信号にモーショナルフィードバックを行って原音信号をスピーカ１００の駆動用に修正した音の信号をそのまま容易に収録（録音）できる。そして、再度、スピーカ１００で修正済みの音を再生したい場合は、モーショナルフィードバックを行わずに修正済み収録音源を直に再生することができる。従って、市販のスピーカシステム（機種）毎にモーショナルフィードバックされた修正音源を準備しておけば、モーショナルフィードバックの機構が無くても各スピーカシステムで修正音源を簡易デモ的に再生することができる。
【００６３】
また、図１８では１系統のＸＬＲ端子６５を有する３台のオーディオミキサー６０，６１，６２とパワーアンプ６６とで駆動回路５０Ｂを構成する例を示したが、３系統のＸＬＲ端子６５を有するオーディオミキサーであれば、１台のオーディオミキサーとパワーアンプで駆動回路５０Ｂを構成することができる。更に、３系統のＸＬＲ端子６５とパワーアンプを有するオーディオミキサーであれば、１台のオーディオミキサーで駆動回路５０Ｂを構成することができる。
【００６４】
図２２は、モーショナルフィードバックスピーカの第３の変形例４の構成の一例を示す。
モーショナルフィードバックスピーカ４は、振動検出装置１０Ｄとスピーカ１００とを有する。
振動検出装置１０Ｄは、フォトトランジスタ１３と、フォトトランジスタ１４と、発光素子１７と、振動部材２８と、支持部材３０と、再生信号検出部４０とを有する。
振動検出装置１０Ｄは、発光素子１７を１個のみ有する点、および振動部材２８が１つのスリット２９のみを有する点がモーショナルフィードバックスピーカ１の振動検出装置１０Ａと異なる。発光素子１７は、振動検出装置１０Ａの発光ダイオード１１や発光ダイオード１２に比べて巨大である。発光素子１７の直径は、スリット２９の縦方向（振動部材２８が移動する方向）の長さの２倍以上である。その他の点では、振動検出装置１０Ｄは、振動検出装置１０Ａと同様である。
振動部材２８は、例えば、長方形の平板である。ただし、振動部材２８は、振動部材２０Ｂと同様に、横断面が円弧状であってもよい。また、振動部材２８は、振動部材２０Ｃと同様に、円柱または中空の円筒であってもよい。
【００６５】
図２３は、図２２のモーショナルフィードバックスピーカ４について、発光素子１７とスリット２９と２つのフォトトランジスタ１３，１４との配置の一例を示す。
発光素子１７が発する光は、スリット２９を通過し、フォトトランジスタ１３とフォトトランジスタ１４によって受光される。振動部材２８は、センターキャップ１０１の動きに応じて移動する。
図２３の例では、図２３（Ａ）に示すように、コーン紙が負方向の最大位置にあるとき、フォトトランジスタ１３の受光量は０であり、フォトトランジスタ１４の受光量は最大である。図２３（Ｂ）に示すように、コーン紙が０の位置（コーン紙が振動していないときの位置）にあるとき、フォトトランジスタ１３とフォトトランジスタ１４の受光量は等しい。図２３（Ｃ）に示すように、コーン紙が正方向の最大位置にあるとき、フォトトランジスタ１３の受光量は最大であり、フォトトランジスタ１４の受光量は０である。
振動検出装置１０Ｄにおいて、コーン紙１０２の動きに応じて、フォトトランジスタ１３の受光量が増加するときにフォトトランジスタ１４の受光量が減少し、フォトトランジスタ１３の受光量が減少するときにフォトトランジスタ１４の受光量が増加する点は、モーショナルフィードバックスピーカ１の振動検出装置１０Ａと同様である。
【００６６】
また、振動部材２８は、第１の実施形態の第２の変形例の振動検出装置１０Ｂと同様に、コーン紙１０２に取り付けられていてもよい。また、振動検出装置１０Ｄは、第３の変形例の振動検出装置１０Ｃと同様に、センターキャップ１０１の裏側に設置されていてもよい。
モーショナルフィードバックスピーカ５は本発明のモーショナルフィードバック音響再生装置の例である。
【００６７】
図２４は、モーショナルフィードバックスピーカの第４の変形例５の構成の一例を示す。
モーショナルフィードバックスピーカ５は、振動検出装置１０Ｅとスピーカ１００とを有する。
振動検出装置１０Ｅは、発光ダイオード１１と、発光ダイオード１２と、フォトトランジスタ１３と、フォトトランジスタ１４と、支持部材３０と、固定部材３３と、再生信号検出部４０とを有する。
振動検出装置１０Ｅは、スリット２１とスリット２２を有する固定部材３３が支持部材３０の下部に垂直に固定されている点、および発光ダイオード１１と発光ダイオード１２とフォトトランジスタ１３とフォトトランジスタ１４とが支柱を介してセンターキャップ１０１の表面に固定されている点がモーショナルフィードバックスピーカ１の振動検出装置１０Ａと異なる。
振動検出装置１０Ｅでは、振動検出装置１０Ａと異なり、発光ダイオード１１とフォトトランジスタ１３は、発光ダイオード１２とフォトトランジスタ１４の下に配置される。
【００６８】
フォトトランジスタ１３は、発光ダイオード１１に対向して配置されており、発光ダイオード１１が発する光を受光する。フォトトランジスタ１４は、発光ダイオード１２に対向して配置されており、発光ダイオード１２が発する光を受光する。センターキャップ１０１が動くとき、発光ダイオード１１と発光ダイオード１２とフォトトランジスタ１３とフォトトランジスタ１４とはセンターキャップ１０１の動きに応じて移動する。センターキャップ１０１は、コーン紙１０２と連動しているため、発光ダイオード１１と発光ダイオード１２とフォトトランジスタ１３とフォトトランジスタ１４の動きを検出することにより、コーン紙１０２の動きを検出することができる。
固定部材３３のスリット２１は、発光ダイオード１１が発する光を通過させてフォトトランジスタ１３がその光を受光することを可能にする。固定部材３３のスリット２２は、発光ダイオード１２が発する光を通過させてフォトトランジスタ１４がその光を受光することを可能にする。
振動検出装置１０Ｅにおいて、コーン紙１０２の動きに応じて、フォトトランジスタ１３の受光量が増加するときにフォトトランジスタ１４の受光量が減少し、フォトトランジスタ１３の受光量が減少するときにフォトトランジスタ１４の受光量が増加する点は、モーショナルフィードバックスピーカ１の振動検出装置１０Ａと同様である。
【００６９】
なお、発光ダイオード１１と発光ダイオード１２とフォトトランジスタ１３とフォトトランジスタ１４とは、支柱を介してコーン紙１０２に取り付けられていてもよい。また、振動検出装置１０Ｅは、第１の実施形態における第３の変形例の振動検出装置１０Ｃと同様に、センターキャップ１０１の裏側に設置されていてもよい。
モーショナルフィードバックスピーカ５は本発明のモーショナルフィードバック音響再生装置の例である。
【００７０】
図２５は、本発明の第２の実施形態に係るモーショナルフィードバックスピーカ６の構成の一例を示す。
モーショナルフィードバックスピーカ６は、振動検出装置１０Ｆとスピーカ１００とを有する。
振動検出装置１０Ｆは、フォトトランジスタ１３と、フォトトランジスタ１４と、光源１８と、支持部材３０と、再生信号検出部４０とを有する。
光源１８は、矩形の形状の光を発する。光源１８は、例えば、発光ダイオードと矩形のスリットとで構成することができる。光源１８は、支柱を介してセンターキャップ１０１の表面に固定されている。このため、光源１８は、センターキャップ１０１の動きに応じて移動する。センターキャップ１０１は、コーン紙１０２と連動しているため、光源１８の動きを検出することにより、コーン紙１０２の動きを検出することができる。
振動検出装置１０Ｆでは、振動検出装置１０Ａと異なり、振動部材は不要である。
振動検出装置１０Ｆは、これらの点がモーショナルフィードバックスピーカ１の振動検出装置１０Ａと異なる。
【００７１】
図２６は、図２５のモーショナルフィードバックスピーカ６について、光源１８と２つのフォトトランジスタ１３，１４との配置の一例を示す。
フォトトランジスタ１３とフォトトランジスタ１４は、光源１８が発する光を受光する。
図２６の例では、図２６（Ａ）に示すように、コーン紙が負方向の最大位置にあるとき、フォトトランジスタ１３の受光量は０であり、フォトトランジスタ１４の受光量は最大である。図２６（Ｂ）に示すように、コーン紙が０の位置（コーン紙が振動していないときの位置）にあるとき、フォトトランジスタ１３とフォトトランジスタ１４の受光量は等しい。図２６（Ｃ）に示すように、コーン紙が正方向の最大位置にあるとき、フォトトランジスタ１３の受光量は最大であり、フォトトランジスタ１４の受光量は０である。
振動検出装置１０Ｆにおいて、コーン紙１０２の動きに応じて、フォトトランジスタ１３の受光量が増加するときにフォトトランジスタ１４の受光量が減少し、フォトトランジスタ１３の受光量が減少するときにフォトトランジスタ１４の受光量が増加する点は、モーショナルフィードバックスピーカ１の振動検出装置１０Ａと同様である。
【００７２】
なお、光源１８は、支柱を介してコーン紙１０２に取り付けられていてもよい。また、振動検出装置１０Ｆは、第１の実施形態における第３の変形例の振動検出装置１０Ｃと同様に、センターキャップ１０１の裏側に設置されていてもよい。
モーショナルフィードバックスピーカ６は本発明のモーショナルフィードバック音響再生装置の例である。
【００７３】
図２７は、本発明の第２の実施形態に係るモーショナルフィードバックスピーカの変形例７の構成を示す。
モーショナルフィードバックスピーカ７は、振動検出装置１０Ｇとスピーカ１００とを有する。
振動検出装置１０Ｇは、フォトトランジスタ１３と、フォトトランジスタ１４と、光源１８と、支持部材３０と、再生信号検出部４０とを有する。
光源１８は、振動検出装置１０Ｆと同様に、矩形の形状の光を発する。光源１８は、例えば、発光ダイオードと矩形のスリットとで構成することができる。光源１８は、支柱を介して支持部材３０の下部に固定されている。
フォトトランジスタ１３とフォトトランジスタ１４は、支柱を介してセンターキャップ１０１の表面に固定されている。このため、フォトトランジスタ１３とフォトトランジスタ１４は、センターキャップ１０１の動きに応じて移動する。センターキャップ１０１は、コーン紙１０２と連動しているため、フォトトランジスタ１３とフォトトランジスタ１４の動きを検出することにより、コーン紙１０２の動きを検出することができる。
振動検出装置１０Ｇは、これらの点がモーショナルフィードバックスピーカ６の振動検出装置１０Ｆと異なる。
振動検出装置１０Ｇでは、振動検出装置１０Ｆと異なり、フォトトランジスタ１３は、フォトトランジスタ１４の下に配置される。
【００７４】
図２８は、図２７のモーショナルフィードバックスピーカの７について、光源１８と２つのフォトトランジスタ１３，１４との配置の一例を示す。
フォトトランジスタ１３とフォトトランジスタ１４は、光源１８が発する光を受光する。
図２８の例では、図２８（Ａ）に示すように、コーン紙が負方向の最大位置にあるとき、フォトトランジスタ１３の受光量は０であり、フォトトランジスタ１４の受光量は最大である。図２８（Ｂ）に示すように、コーン紙が０の位置（コーン紙が振動していないときの位置）にあるとき、フォトトランジスタ１３とフォトトランジスタ１４の受光量は等しい。図２８（Ｃ）に示すように、コーン紙が正方向の最大位置にあるとき、フォトトランジスタ１３の受光量は最大であり、フォトトランジスタ１４の受光量は０である。
振動検出装置１０Ｇにおいて、コーン紙１０２の動きに応じて、フォトトランジスタ１３の受光量が増加するときにフォトトランジスタ１４の受光量が減少し、フォトトランジスタ１３の受光量が減少するときにフォトトランジスタ１４の受光量が増加する点は、モーショナルフィードバックスピーカ６の振動検出装置１０Ｆと同様である。
【００７５】
なお、フォトトランジスタ１３とフォトトランジスタ１４は、支柱を介してコーン紙１０２に取り付けられていてもよい。また、振動検出装置１０Ｇは、第１の実施形態における第３の変形例の振動検出装置１０Ｃと同様に、センターキャップ１０１の裏側に設置されていてもよい。
モーショナルフィードバックスピーカ７は本発明のモーショナルフィードバック音響再生装置の例である。
【００７６】
図２９は、本発明の第３の実施形態に係るモーショナルフィードバックスピーカ８の構成の一例を示す。
モーショナルフィードバックスピーカ８は、振動検出装置１０Ｈとスピーカ１００とを有する。
振動検出装置１０Ｈは、フォトトランジスタ１３と、フォトトランジスタ１４と、光源１９と、挿入部材３４と、再生信号検出部４０とを有する。
光源１９は、球状であって、挿入部材３４の一端に固定されている。再生信号検出部４０は挿入部材３４の内部に設置されている。挿入部材３４はセンターポール１０８の孔１１１に挿入され、光源１９はボイスコイルボビン１０５Ａの内側かつセンターキャップ１０１の裏側に配置される。
フォトトランジスタ１３とフォトトランジスタ１４は、ボイスコイルボビン１０５Ａの外側において支柱を介してフレーム１０９に固定される。
スリット２１とスリット２２はボイスコイルボビン１０５Ａに設けられる。モーショナルフィードバックスピーカ８では、ボイスコイルボビン１０５Ａは音響再生部に含まれる振動部の一部として機能するとともに本発明の振動部材として機能する。
モーショナルフィードバックスピーカ８では、光源１９の位置を変更することによりフォトトランジスタ１３とフォトトランジスタ１４に入る光量のバランスを調整することができる。
モーショナルフィードバックスピーカ８は本発明のモーショナルフィードバック音響再生装置の例である。
【００７７】
なお、本発明の振動検出装置を振動スピーカに適用し、振動スピーカでモーショナルフィードバックを行うこともできる。振動スピーカは、ボイスコイルを固定してマグネットを含む磁気回路を振動させる。そして、振動スピーカは、磁気回路の振動を木材、ガラス、金属のような振動可能な外部の物体に伝える。磁気回路は本発明の音響再生部に含まれる振動部の例である。本発明の振動検出装置を用いれば、振動スピーカにおける磁気回路の振動を検出することができる。
【００７８】
また、フォトトランジスタ１３のエミッタとフォトトランジスタ１４のエミッタから出力される電流をＡ／Ｄ（Ａｎａｌｏｇ−ｔｏ−Ｄｉｇｉｔａｌ）変換回路でデジタル信号に変換し、プロセサやデジタル回路でデジタル信号処理を行ってデジタルの駆動信号を生成し、それをＤ／Ａ（Ｄｉｇｉｔａｌ−ｔｏ−Ａｎａｌｏｇ）変換回路でアナログ信号に変換してスピーカの駆動信号を生成することもできる。デジタルで信号を処理する場合、第１の受光素子と第２の受光素子としてＣＣＤ（Ｃｈａｒｇｅ  Ｃｏｕｐｌｅｄ  Ｄｅｖｉｃｅ）やＣＭＯＳイメージセンサーを用いることもできる。
【００７９】
また、上述した実施形態では第１の受光素子と第２の受光素子の例としてフォトトランジスタを示したが、フォトダイオード等の他の受光素子を用いることもできる。
【００８０】
また、上述した第１の実施形態では、スリット２１とスリット２２とが振動部材の移動方向に長い長方形であり、同一の形と大きさである例を示したが、これは一例であり、スリット２１とスリット２２の形状は長方形以外であってもよく、スリット２１とスリット２２の形と大きさは異なっていてもよい。また、スリット２９が振動部材の移動方向に長い長方形である例を示したが、これは一例であり、スリット２９の形状は長方形以外であってもよい。
例えば、スリットの形状を振動部材の移動方向に長い縦長のダイヤ形とすることにより、スリット幅の広い中央部分において通過する光量が大きくなり、上下の端部に近くスリット幅が狭くなるほど通過する光量が小さくなる。図３０は、コーン紙が０の位置（コーン紙が振動していないときの位置）にあるときの２つの発光ダイオード１１，１２と２つのダイヤ形のスリット２１，２２との配置の一例を示す。スリットの形状がダイヤ形である場合、コーン紙が０の位置の近くに位置するときにはコーン紙がわずかに移動してもスリットを通過する光量は大きく変化する。ダイヤ形のスリットはスリット幅が徐々に変化し、光源は円形であるため、振動検出装置から出力される再生信号にひずみが生じる可能性があるが、このひずみは例えばデジタル信号処理により容易に補正できる。このため、スリット２１とスリット２２の形状をダイヤ形とすることにより、フォトトランジスタ１３とフォトトランジスタ１４の受光感度を実質的に向上させることができる。また、これにより、静止していたコーン紙が振動し始めるときの応答性も向上させることができる。スリット２９も同様である。
また、例えばスリット２１とスリット２２の形と大きさが異なっている場合には、コーン紙が０の位置（コーン紙が振動していないときの位置）にあるとき、フォトトランジスタ１３とフォトトランジスタ１４の受光量は異なるものとなるが、この差もデジタル信号処理により容易に補正できる。
また、第２の実施形態では、光源１８の発光形状をダイヤ形とすることもできる。
【００８１】
更に、コーン紙１０２がスピーカ１００の表側に向けて移動する（すなわち、コーン紙１０２が負方向の最大位置から正方向の最大位置に向けて移動する）ときとスピーカ１００の裏側に向けて移動する（すなわち、正方向の最大位置から負方向の最大位置に向けて移動する）ときでコーン紙１０２の移動に必要な力に差がある場合に、スリット２１とスリット２２のスリット幅を異なるものとし、スリット２１とスリット２２を通過する光量に差を生じさせることにより、フォトトランジスタ１３とフォトトランジスタ１４の受光感度を調整し、モーショナルフィードバックの動作を微調整することも可能であり、駆動電圧に対するスピーカの表側への移動動作と裏側への移動動作が非対称のスピーカにおいて、同動作の対称化が容易である。
【００８２】
また、上述した実施形態では、第１の発光素子と第２の発光素子の例として発光ダイオード１１と発光ダイオード１２を示したが、これらは一例であり、光源の光を光ファイバーや反射板で導いて第１の受光素子と第２の受光素子に入射させることもできる。光源１５と発光素子１７と光源１８と光源１９も同様である。
また、上述した実施形態では、振動板としてコーン紙の例を示したが、これに限らず、ポリエステル、アラミド、ポリプロピレン、炭素繊維樹脂などの高分子材料でできた膜等を振動板として使用することもできる。
【００８３】
また、上述した第１の実施形態では、振動部材や固定部材の一端をセンターキャップ１０１やコーン紙１０２に接着剤等を用いて固定する例を示したが、振動部材や固定部材はセンターキャップ１０１やコーン紙１０２と一体的に形成することもできる。
第２の実施形態でも、同様に、光源１８を支える支柱やフォトトランジスタ１３とフォトトランジスタ１４を支える支柱はセンターキャップ１０１やコーン紙１０２と一体的に形成することもできる。
【００８４】
また、将来的にシャッター等の動作もしくはコーン紙自体の動作をデジタルカメラにより連続した画像として取得し、画像信号としてデジタル等で処理や解析をする場合、デジタルカメラにおける第１の受光素子と第２の受光素子としてＣＣＤやＣＭＯＳイメージセンサーを用いることもできる。
【００８５】
また、実証実験等において、コーン紙が０の位置（コーン紙が振動していないときの位置）での振動検出装置の各構成部分の配置を機械的に微調整する機構が必要な場合がある。この微調整はデジタル信号処理により行うこともでき、この場合、機械的な微調整機構は不要である。
【００８６】
以上説明したように、本発明によれば、受光素子への外部の光の影響を軽微にし、直流成分を含まない再生信号を生成することができる。
【００８７】
以上、本発明の実施形態について説明したが、設計または製造上の都合やその他の要因によって必要となる様々な修正や組み合わせは、請求項に記載されている発明や発明の実施形態に記載されている具体例に対応する発明の範囲に含まれる。
【符号の説明】
【００８８】
１，２，３，４，５，６，７，８…モーショナルフィードバックスピーカ、１０Ａ，１０Ｂ，１０Ｃ，１０Ｄ，１０Ｅ，１０Ｆ，１０Ｇ，１０Ｈ…振動検出装置、１１、１２…発光ダイオード（ＬＥＤ）、１３，１４…フォトトランジスタ、１５，１８，１９…光源、１６…集光レンズ、１７…発光素子、２０，２０Ａ，２０Ｂ，２０Ｃ，２０Ｄ…振動部材、２１，２２…スリット、２３，２３Ａ…遮光部材、２４，２５…スリット、２６，２７、２８…振動部材、２９…スリット、３０，３１，３２…支持部材、３３…固定部材、３４…挿入部材、０…再生信号検出部、４１…差動増幅器、４３…定電流源、４４…増幅器、５０Ａ，５０Ｂ…駆動回路、５２…減算器、５３…差動増幅器、５４…増幅器、６０，６１，６２…オーディオミキサー、６５，６５Ａ…ＸＬＲ端子、６６…パワーアンプ、１００…スピーカ、１０１…センターキャップ、１０２…コーン紙、１０３…エッジ、１０４…スパイダー、１０５…ボイスコイル、１０５Ａ…ボイスコイルボビン、１０６…アウターポール、１０７…マグネット、１０８…センターポール、１０９…フレーム、１１０…スピーカの中心軸、１１１…孔、２００…スピーカボックス、２０１…ヘッドホンの裏面、２０２…ヘッドホンの側面
【要約】
【課題】受光素子への外部の光の影響を軽微にし、直流成分を含まない再生信号を生成する。
【解決手段】振動部材２０は、スピーカ１００のコーン紙１０２と共に振動する。スリット２１とスリット２２は、それぞれ発光ダイオード１１の光と発光ダイオード１２の光を通過させる。振動していないときの位置にコーン紙１０２があるときに、フォトトランジスタ１３とフォトトランジスタ１４は受光量が等しくなる。フォトトランジスタ１３の受光量が増加するときにフォトトランジスタ１４の受光量が減少し、フォトトランジスタ１３の受光量が減少するときにフォトトランジスタ１４の受光量が増加するように、スリット２１とスリット２２は配置されている。フォトトランジスタ１３とフォトトランジスタ１４は差動対として動作し、信号検出部４０はフォトトランジスタ１３の受光量とフォトトランジスタ１４の受光量との差分に応じた再生信号を出力する。
【選択図】図１【図１】
0006667186.tif 000002
【図２】
0006667186.tif 000003
【図３】
0006667186.tif 000004
【図４】
0006667186.tif 000005
【図５】
0006667186.tif 000006
【図６】
0006667186.tif 000007
【図７】
0006667186.tif 000008
【図８】
0006667186.tif 000009
【図９】
0006667186.tif 000010
【図１０】
0006667186.tif 000011
【図１１】
0006667186.tif 000012
【図１２】
0006667186.tif 000013
【図１３】
0006667186.tif 000014
【図１４】
0006667186.tif 000015
【図１５】
0006667186.tif 000016
【図１６】
0006667186.tif 000017
【図１７】
0006667186.tif 000018
【図１８】
0006667186.tif 000019
【図１９】
0006667186.tif 000020
【図２０】
0006667186.tif 000021
【図２１】
0006667186.tif 000022
【図２２】
0006667186.tif 000023
【図２３】
0006667186.tif 000024
【図２４】
0006667186.tif 000025
【図２５】
0006667186.tif 000026
【図２６】
0006667186.tif 000027
【図２７】
0006667186.tif 000028
【図２８】
0006667186.tif 000029
【図２９】
0006667186.tif 000030
【図３０】
0006667186.tif 000031